(57)【要約】      （修正有）【課題】目視で入力状態を確認することなく手指を使うことなくＰＣ入力操作のできる、看護・介護記録システムを提供する。【解決手段】ハンズフリーの看護・介護記録システムは、Ｗｉ−Ｆｉ６、Ｂｌｕｅｔｏｏｔｈ（登録商標）等の無線通信を経由して、ＡＩアシスタント１１のサーバーに通信し、身体に装着した通信器本体とイヤホンとマイクがセットになったヘッドセット２にて発話で入力を行った内容を、ディープラーニングによって機械学習された最適解の応答にてコミュニケーションをとることで、ＰＣやスマートフォンなどの端末から行っていたキーやタッチによる入力操作を、音声で補完する。【選択図】図１
2020030780.tif 000002
【特許請求の範囲】
【請求項１】
Ｗｉ−Ｆｉ、Ｂｌｕｅｔｏｏｔｈ等の無線通信を経由して、ＡＩアシスタントのサーバーに通信し、身体に装着した通信器本体とイヤホンとマイクがセットになったヘッドセットにて発話で入力を行った内容を、ディープラーニングによって機械学習された最適解の応答にてコミュニケーションをとることで、ＰＣやスマートフォンなどの端末から行っていたキーやタッチによる入力操作を、音声で補完することを最も主要な特徴とする、フリーハンドの看護・介護記録システム。
【発明の詳細な説明】
【技術分野】
【０００１】  本発明は、ＡＩアシスタントを活用した、病院・高齢者施設等におけるハンズフリーの看護・介護記録システムに関するものである。
【背景技術】
【０００２】従来の発想では、病院・高齢者施設等で、患者や入所者等のケアの記録を取る場合、ＰＣやスマートフォン等の端末にキーやタッチによる文字入力の入力操作を行い、ケアの状況を記録することが通常である。【０００３】しかし、看護・介護記録の打ち込み作業は、時間的・労力的に看護師・介護職員の労働時間に大きなウェイトを占めるとともに、得意・不得意によって作業の進捗に差が出るなどの問題がある。【０００４】  また看護・介護記録は事実を正確に記録しなければならないが、現場で生じた事象を記憶、あるいはメモをとるなどして記録し、その後ＰＣやタブレットにキーやタッチによる打ち込み作業を行うことは、時間的・労力的に無駄な作業であるとともに、時間の経過等による細部の忘却等によって、事実と異なる記録を行ってしまう可能性もある。【０００５】  さらにＰＣやスマートフォン等の端末を使用して、目視で入力状態を確認しながらキーやタッチの手指での入力操作が必要は、一定の場所に留まり、その作業に集中しながら行う必要があり、他の作業との同時並行は困難なことから、その作業のための要員が必要となり、看護・介護実践に必要な時間を確保することが困難な事態も生じかねない。【０００６】  キーやタッチによる入力作業に代替して、音声入力の文字変換の技術はあるが、看護・介護記録は対象者の情報を網羅的に収集し、それを経時的に、行われた処置だけでなく、状況、観察内容、対処後の結果・反応等、系統たてて記録する必要があるため、マイクに向かって無秩序に話すだけでは、系統たてた記録とはならない。
【先行技術文献】
【０００７】
【非特許文献】
【非特許文献】公益社団法人日本看護協会  「看護記録に関する指針」
【発明の概要】
【発明が解決しようとする課題】
【０００８】  解決しようとする問題点は、看護・介護記録、入力状況を目視で確認しながら手指でキーやタッチを行う作業は、通常、一定の場所に留まり、その作業のみに意識を集中しながら行う必要がある。そこで、目視で入力状態を確認することなく手指を使わない、さらに情報を系統立てて入力・記録することのできる、ハンズフリーの入力操作が可能な看護・介護記録システムを提供することを課題とする。
【問題を解決するための手段】
【０００９】  本発明は、Ｗｉ−Ｆｉ、Ｂｌｕｅｔｏｏｔｈ等の無線通信を経由して、クラウド上のＡＩアシスタントのサーバーとネットワークを形成し、発話で入力を行った内容を、ディープラーニングによって機械学習された最適解の応答にてコミュニケーションをとることで、ＰＣやスマートフォンなどの端末から行っていたキーやタッチによる看護・介護記録の入力操作を、音声で補完することを最も主要な特徴とする。
【発明の効果】
【００１０】  本発明の看護・介護記録システムは、マイクとイヤホンがセットになったヘッドセットと通信器本体を身体に装着して、いつでもどこでもＡＩアシスタントと交信しながら音声にて記録入力ができるので、ＰＣに向かうことなく即座に適切な記録入力ができるという利点がある。
【００１１】  また、ＡＩアシスタントとコミュニケーションをとりながらすることで、発言内容を整理・分類しながら入力できるので、理路整然とした効率的な音声入力ができることで、単なるハンズフリーの音声による文章入力システムではなく、実際的に看護・介護の現場で利用可能な記録システムとしての有効性がある。
【００１２】  さらにクラウド上のデータベースから看護・介護を必要とする人のデー基礎情報や看護・介護計画・経過記録・要約等にアクセスできることから、ＡＩアシスタントを介しての質疑応答により基礎情報を聞き取ることが可能となり、記録システムのみならず、適宜適切な情報収集システムとしての機能を有することもできる。
【図面の簡単な説明】
【００１３】
【図１】ＡＩアシスタントを活用したハンズフリーの看護・介護記録システムの実施方法を示した説明図である。（実施例）
【発明を実施するための形態】
【実施例】
【００１４】  図１は、本発明システムの実施例であって、本発明の主体はシステムモデルにあるので、電子、機構系の説明は省略する。【００１５】  図１の１は携帯端末で、５のＢｌｕｅｔｏｏｔｈによって２のヘッドセットと通信接続されている。２には３のイヤホンと４のマイクが設置されており、１と２は身体に装着して使用するものである。【００１６】  看護師・介護職員等は１と２を身体に装着したまま看護・介護実践を行いながら、記録が必要な事象が生じた際に、４のマイクに向かって、最初にウエイクワードを発する。発したウエイクワードは６のＷｉ−Ｆｉ通信により７のルーターから８の音声信号プロセッサーに送られ、ウエイクワードであることを検知されると、９のデータストリームから１０のコンピュータライブラリーへと転送され、１１のＡＩアシスタントにアクセスすることができる。【００１７】  ＡＩアシスタントとアクセスすると、１０のコンピュータライブラリーには１の携帯端末情報から発信者が識別され、受信時刻とともに記録される。【００１８】  ＡＩアシスタントは発信者情報をもとに、ディープラーニングによって機械学習された最適解の応答にて１２のメディアプレイヤーから音声情報として７のルーターを介し１の携帯端末に送信され、３のイヤホンに届く。この繰り返しによって、ＡＩアシスタントと発信者とコミュニケーションを行うことができる。【００１９】  コミュニケーション例としては、発信者に対して何をしたいかを尋ね、記録したい場合は、対象者、種別、処置内容、結果など、分類・整理した情報収集を行うことができる。【００１９】  発信者が情報を聞きたい場合も同じように、理路整然とした質疑応答形式の情報発信を行うことができる。【００２０】  ＡＩアシスタントとの質疑応答形式の音声による回答は、分類・整理され１０のコンピュータライブラリーから１２のメディアプレイヤーより文字情報として７のルーターから６のＷｉ−Ｆｉ通信により１３の病院・施設内のコンピュータ端末群へ、看護・介護記録として送信される。
【産業上の利用可能性】
【００２１】  本発明は、今後の医療・介護提供体制の基盤を揺るがし、さらに進行すると考えられている看護・介護人材不足の解消に大きく貢献するものである。
【符号の説明】
【００２２】  １  携帯端末
２  ヘッドセット
３  イヤホン
４  マイク
５  Ｂｌｕｅｔｏｏｔｈ
６  Ｗｉ−Ｆｉ
７  ルーター
８  音声信号プロセッサー
９  データストリーム
１０  コンピュータライブラリー
１１  ＡＩアシスタント
１２  メディアプレイヤー
１３  ルーター
１４  端末機類
【図１】
2020030780.tif 000003